(57)【要約】【課題】開閉扉が開状態となる利益状態発生時の視覚的演出効果を向上させて遊技に対する興趣を増大できる弾球遊技機を提供する。【解決手段】遊技盤に装着された遊技部品２５上に設けられ且つ遊技球が入球困難又は入球不可能な閉状態と入球容易な開状態とに切り換え可能な開閉扉３２を備え、該開閉扉３２は、閉状態では遊技部品２５に対して略面一となってその表て面側が前側から視認可能であり、開状態では遊技部品２５から所定方向に開放してその裏面６４側が前側から視認可能となるように構成され、開閉扉３２の裏面６４側に、所定の装飾６７ａを施した裏側装飾面６６を形成したものである。【選択図】　図６
2004065377.tif 000002
【特許請求の範囲】
【請求項１】
遊技盤（１３）又はその遊技盤（１３）に装着された遊技部品（２５）上に設けられ且つ遊技球が入球困難又は入球不可能な閉状態と入球容易な開状態とに切り換え可能な開閉扉（３２）を備え、該開閉扉（３２）は、前記閉状態では前記遊技盤（１３）又は前記遊技部品（２５）に対して略面一となってその表て面（６１）側が前側から視認可能であり、前記開状態では前記遊技盤（１３）又は前記遊技部品（２５）から所定方向に開放してその裏面（６４）側が前側から視認可能となるように構成された弾球遊技機において、前記開閉扉（３２）の裏面（６４）側に、所定の装飾（６７ａ）を施した裏側装飾面（６６）を形成したことを特徴とする弾球遊技機。
【請求項２】
前記開閉扉（３２）の表て面（６１）側に表側装飾面（６２）が形成され、前記裏側装飾面（６６）には前記表側装飾面（６２）とは異なる装飾が施されていることを特徴とする請求項１に記載の弾球遊技機。
【請求項３】
前記裏側装飾面（６６）は、前記開閉扉（３２）の裏面（６）４側に所定の装飾（６７ａ）を施した装飾部材（６７）を付設することにより構成されていることを特徴とする請求項１又は２に記載の弾球遊技機。
【請求項４】
前記装飾部材（６７）は、裏面側に貼着部（６７ｂ）を備えた貼着シート（６７）により構成されていることを特徴とする請求項３に記載の弾球遊技機。
【請求項５】
前記開閉扉（３２）の裏面（６４）側に、遊技球を所定方向に誘導する誘導部（６５）が形成され、該誘導部（６５）は前記装飾部材（６７）を所定の付設位置に位置決めするための位置決め部（６５ａ）を備えていることを特徴とする請求項３又は４に記載の弾球遊技機。
【請求項６】
前記装飾部材（６７）にビトロ加工を施したことを特徴とする請求項３〜５の何れかに記載の弾球遊技機。
【発明の詳細な説明】
【０００１】
【発明の属する技術分野】
本発明は、パチンコ機、アレンジボール機、雀球遊技機等の各種弾球遊技機に関するものである。
【０００２】
【従来の技術】
パチンコ機等の弾球遊技機では、例えば遊技図柄が予め定められた大当たり態様で停止したり、或いは所定の振り分け入賞手段に入賞した遊技球がその内部の特定領域に振り分けられる等の所定条件が成立することに基づいて、大入賞手段の開閉扉を開放するなど、遊技者に有利な利益状態を発生させるようにしたものが一般的である。
【０００３】
この種の弾球遊技機の大入賞手段は、例えば横長矩形状の開閉扉をその下側の横軸廻りに回動自在に備え、閉状態ではその開閉扉を遊技盤の前面側と略面一となるように保持して入賞口を閉鎖すると共に、開状態では開閉扉を前側に大きく開いて入賞口を開放し、上側から落下してくる遊技球をその開閉扉の裏面側で受け止めて入賞口の内部へと誘導するように構成されている。また、開閉扉には、遊技者にその存在をアピールすべく、その前側、即ち表て面側にキャラクター等が描かれた装飾シートを貼着する等により装飾が施されている。
【０００４】
【発明が解決しようとする課題】
従来の弾球遊技機では、大入賞手段の開閉扉の表て面側には装飾シート等による装飾が施されているものの、その装飾による視覚的演出効果が発揮されるのは開閉扉が閉状態にあるときに限られるという問題点があった。即ち、大入賞手段は遊技領域の下部側、即ち遊技者の目の高さよりも低い位置に配置されることが多いため、大当たりが発生して大入賞手段の開閉扉が前側に開放されると、その表て面側、即ち装飾面は下向きとなって遊技者からは見えなくなり、代わって装飾の施されていない裏面側が遊技者の視野に入ることとなり、大当たり時の視覚的な演出効果が不十分でせっかくの大当たり時の盛り上がりに水を差してしまう欠点があった。
【０００５】
本発明は、このような従来の問題点に鑑み、開閉扉が開状態となる利益状態発生時の視覚的演出効果を向上させて遊技に対する興趣を増大できる弾球遊技機を提供することを目的とする。
【０００６】
【課題を解決するための手段】
本発明は、遊技盤１３又はその遊技盤１３に装着された遊技部品２５上に設けられ且つ遊技球が入球困難又は入球不可能な閉状態と入球容易な開状態とに切り換え可能な開閉扉３２を備え、該開閉扉３２は、前記閉状態では前記遊技盤１３又は前記遊技部品２５に対して略面一となってその表て面６１側が前側から視認可能であり、前記開状態では前記遊技盤１３又は前記遊技部品２５から所定方向に開放してその裏面６４側が前側から視認可能となるように構成された弾球遊技機において、前記開閉扉３２の裏面６４側に、所定の装飾６７ａを施した裏側装飾面６６を形成したものである。
【０００７】
【発明の実施の形態】
以下、本発明の実施形態を図面に基づいて詳述する。図１〜図７は本発明を第１種パチンコ機として具現化した第１の実施形態を例示している。１は遊技機本体で、矩形状の外枠２の前側に、上下一対のヒンジ４を介して前枠３が開閉自在に枢着されている。５はガラス扉、６は前面開閉板で、これらは前枠３の窓孔７に対応して上下に配置され、前枠３に開閉自在に枢支されている。
【０００８】
８は発射用の遊技球を貯留する上皿で、前面開閉板６の前側に装着され、上皿カバー９により覆われている。また、１０は余剰球等を貯留する下皿、１１は灰皿で、これらは前面開閉板６の下側で前枠３の前側に左右に配置され、下皿カバー１２により覆われている。１３は遊技盤で、前枠３の窓孔７に対応するように、前枠３の裏側に設けられた図外の遊技盤装着枠に後側から着脱自在に装着され、窓孔７の下部側で前枠３の裏側に装着された図外の支持板により下側から支持されている。
【０００９】
１６は発射手段で、下皿１０の一側で前枠３の前側に装着された発射ハンドル１７と、支持板の前側に装着された発射レール１８と、前枠３の裏側に配置された発射モータ１９及び打撃槌２０等を備え、発射ハンドル１７を操作したときに発射モータ１９により打撃槌２０が作動して、前面開閉板６の裏側に装着された図外の球送り手段により発射レール１８上に１個ずつ供給される遊技球を遊技盤１３側に発射させるようになっている。
【００１０】
遊技盤１３の前側には、図２に示すように、発射手段１６により発射された遊技球を案内するガイドレール２１が環状に装着されると共に、そのガイドレール２１の内側の遊技領域２２に、液晶表示手段２３、特別図柄始動手段２４、大入賞手段２５、普通図柄始動手段２６、普通入賞手段２７等の各種遊技部品が配置されている。液晶表示手段２３は、遊技領域２２の略中央に配置され、その下側に特別図柄始動手段２４と大入賞手段２５とが上下に配置されている。また、遊技領域２２の最下部には、アウト口２８が設けられている。
【００１１】
液晶表示手段２３は、特別図柄表示手段２９を構成するもので、更にその上部側に普通図柄表示手段３０が設けられている。
【００１２】
普通図柄表示手段３０は、１個又は複数個、例えば１個の普通図柄を表示可能な例えば７セグメント等の表示手段により構成され、通過ゲート等よりなる普通図柄始動手段２６が遊技球を検出することを条件に普通図柄が所定時間変動して停止するようになっている。
【００１３】
特別図柄始動手段２４は、例えば左右一対の開閉爪３１を備えた電動チューリップ等の開閉入賞手段により構成されており、普通図柄表示手段３０の変動後の停止図柄が予め定められた「７」等の当たり態様となったときに、開閉爪３１を所定時間（例えば０．２秒間）開放するようになっている。
【００１４】
特別図柄表示手段２９は、１個又は複数個、例えば左右方向に３個の特別図柄を液晶表示手段２３上に表示し、特別図柄始動手段２４が遊技球を検出することを条件に、各特別図柄が上下方向又は左右方向にスクロールする等、所定の変動パターンで所定時間変動して停止するようになっている。
【００１５】
特別図柄表示手段２９の変動後の特別図柄が所定の大当たり態様（全て同種図柄となるなどの所定の組み合わせ）となった場合には、大入賞手段２５の開閉扉３２が開放して遊技球が容易に入賞可能な状態となり、遊技者に多大な利益が還元されるようになっている。
【００１６】
大入賞手段２５は、図３に示すように、本体ケース４１と、後部構造体４２と、開閉扉３２とを備えており、遊技盤１３の取り付け孔１３ａに前側から例えば圧入により着脱自在に装着されている。本体ケース４１は、取り付け孔１３ａの内面側に沿って形成された枠体部４３と、その枠体部４３の前側を覆う前面板４４とを一体に備えている。
【００１７】
前面板４４は遊技盤１３の盤面に平行な板状で、その周縁部が枠体部４３の外側に張り出す鍔部４４ａとなっており、その鍔部４４ａの裏面側には遊技盤１３の前面側に設けられた位置決め孔に対応する複数の位置決め突起（図示省略）が設けられている。大入賞手段２５が遊技盤１３の取り付け孔１３ａに前側から装着されたとき、前面板４４の鍔部４４ａは、位置決め突起を遊技盤１３側の位置決め孔に嵌合させた状態で遊技盤１３の前面側に当接するようになっている。なお、前面板４４の左右両端側には例えば普通入賞手段２７が設けられている。
【００１８】
前面板４４には、枠体部４３よりも内側の左右方向中央部分に、横長矩形状の入賞口４５が枠体部４３の上縁側に沿って形成されており、この入賞口４５の前側を略塞ぐように開閉扉３２が取り付けられている。前面板４４の裏面側には、図３及び図５に示すように、入賞口４５の左右両縁部に沿って前部側壁４６が後方に向けて突設されており、その後縁側には、開閉扉３２側の左右の枢軸４７を回動自在に軸支する軸受け部４８が、後方に開口する凹状に形成されている。なお、前部側壁４６の前後方向の幅は、軸受け部４８が形成できる程度、即ち枢軸４７の直径よりも若干大きく形成されている。
【００１９】
枠体部４３は、その前後方向長さが遊技盤１３の厚さと略等しく形成されており、その上壁部４３ａの下面側には、開閉扉３２の閉鎖方向への移動を規制する突条部４９が一体に設けられている。
【００２０】
開閉扉３２は、図３〜図７に示すように、入賞口４５を略塞ぐ大きさに形成された横長矩形状の扉本体５１と、この扉本体５１の下部側両側部から左右に突出する枢軸４７と、扉本体５１の側縁部に沿って配置された左右の側板部５２，５３とを一体に備え、枢軸４７が前部側壁４６側の軸受け部４８により回動自在に軸支されている。
【００２１】
開閉扉３２は、後述する開閉扉駆動用ソレノイド５８の駆動により、遊技球が入球不可能となるように入賞口４５を閉鎖する閉状態と、枢軸４７を中心に前側に開いて遊技球が入球容易となるように入賞口４５を開放する開状態とに切り換え可能となっており、開状態では上側から落下してくる遊技球をその裏面側で受け止めて入賞口４５内の入賞室４５ａに案内するようになっている。
【００２２】
側板部５２，５３は、扉本体５１の上端部側から下端部側に向けて扉本体５１の前後に徐々に広がる形状に形成されている。側板部５２，５３の前側には、図３等に示すように、扉本体５１の下端部よりも若干上方の位置に前方突起部５５が一体に形成されている。この前方突起部５５は、開閉扉３２が前側に開いてその上端側がガラス扉５のガラス板５ａに近接する位置にきた全開状態で前面板４４の前側に当接して、開閉扉３２の開放方向への移動を規制するようになっている。
【００２３】
側板部５２，５３の後側下部には、扉本体５１の斜め下方に向けて大きく突出する後方突起部５６が形成されている。側板部５２側の後方突起部５６は、開閉扉３２が全開状態となったときに後述する開放規制部５７に下側から当接して、開閉扉３２の開放方向への移動をその位置で規制するようになっている。また、側板部５３側の後方突起部５６には、後述する開閉扉駆動用ソレノイド５８に連結された駆動連結部材５９が嵌合する凹状の駆動受け部６０が後ろ向きに設けられている。
【００２４】
扉本体５１の表て面６１側には、図４に示すように表側装飾面６２が形成されている。表側装飾面６２は、表て面６１の略全面に形成された矩形状の貼着面６１ａに貼着された装飾シート６３により構成されている。装飾シート６３は、図４、図７等に示すように、その表面側に任意のイラスト等、例えば「ＯＰＥＮ」等の文言と模様との組み合わせによる装飾６３ａが施され、裏面側に貼着部６３ｂを備えており、例えば貼着部６３ｂの裏側の剥離紙を剥離して貼着面６１ａに貼着されている。
【００２５】
なお、装飾シート６３は、その装飾６３ａの上下方向が扉本体５１の上下方向と一致する向きに貼着されており、開閉扉３２が閉状態のとき、装飾６３ａを構成するイラスト等が遊技機本体１の前側から正立して見えるようになっている。
【００２６】
扉本体５１の裏面６４側には、図５及び図６に示すように、その左右両側に左右方向中央部分よりも肉厚の誘導部６５が形成されている。左右の誘導部６５は、互いに向かい合う側の面（案内面６５ａとする）の距離が扉本体５１の上部側から下部側（枢軸４７側）に向けて徐々に狭くなるように形成されており、開閉扉３２が開状態となったとき、裏面６４側で受け止められて後方の入賞口４５側に案内される遊技球を入賞口４５の左右方向中央側に誘導するようになっている。
【００２７】
左右の誘導部６５の間には、裏側装飾面６６が形成されている。裏側装飾面６６は、左右の誘導部６５の間に形成された略台形状の貼着面６４ａに貼着された略台形状の装飾シート６７により構成されている。装飾シート（装飾部材、貼着シート）６７は、図７に示すように、その表面側に表側装飾面６２とは異なる装飾６７ａが施され、裏面側に貼着部６７ｂを備えており、例えば貼着部６７ｂの裏側の剥離紙を剥離して貼着面６４ａに貼着されている。装飾６７ａは、大当たり状態に関連する任意のイラスト等により構成されており、例えば「ＶＩＣＴＯＲＹ」等の文言と模様との組み合わせが描かれている。
【００２８】
なお、装飾シート６７は、その装飾６７ａの上下方向が扉本体５１の上下方向と逆になるように貼着されており、開閉扉３２が開状態のとき、装飾６７ａの上側が奥側に、下側が手前側にきて、装飾６７ａを構成するイラスト等が遊技機本体１の前斜め上方向から正立して見えるようになっている。
【００２９】
また、左右の誘導部６５の案内面６５ａは、装飾シート６７を貼着面６４ａに貼着する際の位置決め部としても機能するようになっている。即ち、案内面６５ａは、貼着面６４ａの左右両側における立ち上がり面を構成しており、しかも貼着面６４ａの左右方向幅を扉本体５１の上下方向に不均一（台形）に形成しているため、略台形状の装飾シート６７を、その左右縁部を左右の案内面６５ａに沿わせつつ貼着面６４ａに貼着すれば、その貼着位置が扉本体５１の上下方向に大きくずれることはない。
【００３０】
後部構造体４２は、図３，図５，図６等に示すように、本体ケース４１の後側に着脱自在に装着されており、本体ケース４１側の枠体部４３の後縁側に着脱自在に装着される支持板７１を備えている。
【００３１】
支持板７１は、枠体部４３を後側から略塞ぐように取り付けられており、その前面側には、開閉板３２の左右両側に設けられ且つその前縁側が本体ケース４１側の前部側壁４６の後縁側に当接する左右一対の後部側壁７２が一体に設けられている。この後部側壁７２により、軸受け部４８が後側から閉鎖され、開閉扉３２の枢軸４７が軸受け部４８内に保持されるようになっている。左側の後部側壁７２の入賞室４５ａ側には、開放規制部５７が、支持板７１側に跨って一体に設けられている。
【００３２】
更に、支持板７１の前面側には、開閉扉３２の駆動受け部６０を入賞室４５ａ側から覆うカバー壁７３が、後部側壁７２と平行に一体に設けられている。このカバー壁７３、左側の後部側壁７２、及び支持板７１により入賞室４５ａの左右及び後方の三方が取り囲まれている。
【００３３】
支持板７１の下部側には、入賞口４５の後側下部に特定通路部７４と一般通路部７５とを形成する入賞案内ケース部７６が、支持板７１の後側に張り出すように一体に設けられている。特定通路部７４と一般通路部７５とは、開閉扉３２によって入賞口４５内の入賞室４５ａに案内された遊技球を夫々遊技盤１３の裏側に案内するもので、入賞室４５ａの右端側に左右に隣接して設けられている。
【００３４】
入賞案内ケース部７６の上側には、特定通路部７４、一般通路部７５を通過する遊技球を夫々検出する特定検出スイッチ７７及び一般検出スイッチ７８が着脱自在に装着されている。特定検出スイッチ７７及び一般検出スイッチ７８は、後部構造体４２を本体ケース４１に装着した状態で、その前端部側が前面板４４の裏面側で且つ入賞口４５の下側に形成された嵌合凹部７９に嵌合するようになっている。
【００３５】
なお、枠体部４３の下壁部４３ｂの上面側には、図３に示すように、特定通路部７４と一般通路部７５とを通過する遊技球を夫々後向きに案内する三角状の案内リブ８０が、前面板４４側に跨って一体に設けられている。
【００３６】
入賞室４５ａの下部左側には、入賞室４５ａ内に入った遊技球を特定通路部７４及び一般通路部７５側に案内する第１傾斜案内板８１が、右下がりの傾斜状に配置されている。また、特定通路部７４と一般通路部７５との間の上側には、遊技球を一般通路部７５側に案内する第２傾斜案内板８２が、右下がりの傾斜状に配置されている。これら第１傾斜案内板８１及び第２傾斜案内板８２は、例えば支持板７１の前側に一体に設けられている。
【００３７】
また、特定通路部７４の上側には、特定通路部７４を開閉する特定通路部開閉板８３が左右方向移動可能に配置されている。この特定通路部開閉板８３は、開閉板駆動用ソレノイド８４の駆動により、特定通路部７４を閉鎖する右位置と開放する左位置との間で切り換え可能となっている。
【００３８】
特定通路部開閉板８３は、支持板７１の後側に配置された駆動連結部材８５の前側に一体に設けられ、支持板７１に形成された案内孔７１ａを介して前側に突出しており、特定通路部７４を開放した状態では第１傾斜案内板８１の下側に格納されると共に、特定通路部７４を閉鎖した状態では、上面側に設けられた右下がりの傾斜面８３ａにより、遊技球を第２傾斜案内板８２を経て一般通路部７５側に案内するようになっている。
【００３９】
開閉板駆動用ソレノイド８４は、支持板７１の裏側で且つ第１傾斜案内板８１の後方に左右方向に配置され、その可動鉄心８４ａが右向きに突出してバネにより突出方向に付勢されており、この可動鉄心８４ａに駆動連結部材８５が固定されている。この開閉板駆動用ソレノイド８４のＯＮ／ＯＦＦにより可動鉄心８４ａ、駆動連結部材８５を介して特定通路部開閉板８３が左右方向に移動して、特定通路部７４を開閉するようになっている。
【００４０】
支持板７１の裏側で且つ入賞案内ケース部７６の右側には、開閉扉３２を開閉するための開閉扉駆動用ソレノイド５８が上下方向に配置され、その可動鉄心５８ａが下向きに突出してバネにより突出方向に付勢されている。可動鉄心５８ａには、駆動連結部材５９の一端側が固定されており、図６に示すように、その駆動連結部材５９の他端側が支持板７１の図示しない案内孔を介して開閉扉３２側の駆動受け部６０に後側から嵌合している。開閉扉駆動用ソレノイド５８のＯＮ／ＯＦＦを切り換えることにより可動鉄心５８ａ及び駆動連結部材５９が上下に移動し、この上下動が駆動受け部６０に伝達されて枢軸４７廻りの回転運動となり、開閉扉３２が前後に開閉するようになっている。
【００４１】
なお、支持板７１の前面側には、任意のイラスト等よりなる装飾８６ａが施された装飾シート８６が貼着されている。
【００４２】
次に上記パチンコ機における動作について説明する。遊技者が遊技を開始する際には、特別図柄始動手段２４の開閉爪３１は、遊技球が１個入賞可能な程度の間隔を保って閉じた状態となっている。また、大入賞手段２５の開閉扉３２は閉状態、即ち前面板４４と略面一となって入賞口４５を閉鎖した状態となっており、遊技者はその開閉扉３２の表て面６１側を前斜め上方向から見下ろす形となり、図３の矢印Ｘで示すように必然的に遊技者の視界には表側装飾面６２が入ることとなる。
【００４３】
ゲームに際して発射手段１６により遊技球を発射すると、その遊技球はガイドレール２１を経て遊技領域２２に入った後、その遊技領域２２内を落下する間に普通入賞手段２７等に入賞するか、普通図柄始動手段２６を通過しながら下方へと落下する。
【００４４】
遊技球が普通図柄始動手段２６を通過すると、普通図柄表示手段３０の普通図柄が所定時間変動した後に当たり態様、外れ態様の何れかで停止する。普通図柄の変動後の停止図柄が「７」等の当たり態様となった場合には、特別図柄始動手段２４の開閉爪３１が所定時間（例えば０．２秒間）開放し、この特別図柄始動手段２４に遊技球が入賞し易くなる。
【００４５】
例えば特別図柄始動手段２４の開閉爪３１が開放して遊技球が入賞し、この特別図柄始動手段２４が遊技球を検出すると、特別図柄表示手段２９の特別図柄が所定の変動パターンに従って所定時間変動した後、大当たり態様、外れ態様の何れかで停止する。特別図柄の変動後の停止図柄が「７・７・７」等の大当たり態様となった場合には、大入賞手段２５の開閉扉３２が前側に大きく開放する。
【００４６】
即ち、開閉扉駆動用ソレノイド５８がＯＮされ、可動鉄心５８ａ及び駆動連結部材５９が上昇して駆動受け部６０が上向きに押し上げられ、開閉扉３２が枢軸４７廻りに回動して若干前上がり状に開放した状態（図３に２点鎖線で示す状態）となる。このとき、左右側板部５２，５３の前方突起部５５が前面板４４の前側に当接し、且つ左側板部５２の後方突起部５６が開放規制部５７の下側に当接して、開閉扉３２の開放がその位置で規制される。
【００４７】
また、開閉扉３２の開放と同時に、開閉板駆動用ソレノイド８４がＯＮされて可動鉄心８４ａ及び駆動連結部材８５が左方向に移動し、これによって特定通路部開閉板８３が特定通路部７４の上方から第１傾斜案内板８１の下側に退去して特定通路部７４が開放される。
【００４８】
このとき、遊技者は、前斜め上方向から開閉扉３２の裏側を見下ろす形となるため、図３の矢印Ｙで示すように、遊技者の視界には先程までの表側装飾面６２に代わって裏側装飾面６６が入ることになる。この裏側装飾面６６には、「ＶＩＣＴＯＲＹ」の文言等、大当たり状態に関連する装飾６７ａが施されており、しかも遊技者は大当たり中には当然にこの大入賞手段２５に注目するため、他の音声、ランプ、液晶等による大当たり演出と相俟って大当たり状態をより一層盛り上げることができる。
【００４９】
開閉扉３２が開放すると、遊技領域２２内を落下してくる遊技球の多くが開閉扉３２の裏面６４によって受け止められ、後方の入賞口４５側に案内される。このとき、遊技球は開閉扉３２の裏面６４側の誘導部６５の案内面６５ａにより左右方向中央側、即ち特定通路部７４側に誘導される。
【００５０】
開閉扉３２に案内されて入賞口４５内の入賞室４５ａに入った遊技球は、第１傾斜案内板８１によって右向きに案内されて特定通路部７４、一般通路部７５の何れかを通過する。特定通路部７４を通過する遊技球は特定検出スイッチ７７で、一般通路部７５を通過する遊技球は一般検出スイッチ７８で夫々検出された後、案内リブ８０によって後方に案内され、遊技盤１３の裏側から下向きに排出される。
【００５１】
開閉扉３２は、開放してから所定時間（例えば３０秒）が経過するか、或いは所定時間内に所定数（例えば１０個）の遊技球が入賞することにより閉鎖される。即ち、開閉扉駆動用ソレノイド５８がＯＦＦされて可動鉄心５８ａ及び駆動連結部材５９が下降し、駆動受け部６０が下向きに押し下げられて開閉扉３２が枢軸４７廻りに回動して入賞口４５を閉鎖する。そして、特定通路部７４を遊技球が通過することを条件に、最大所定回数（例えば１６回）まで開閉を繰り返す。
【００５２】
なお、遊技球が特定通路部７４を通過すると、開閉板駆動用ソレノイド８４がＯＦＦされて可動鉄心８４ａ及び駆動連結部材８５が右方向に移動し、これによって特定通路部開閉板８３が第１傾斜案内板８１の下側から特定通路部７４の上方に進出して特定通路部７４が閉鎖される。特定通路部７４が閉鎖された後に入賞室４５ａに入った遊技球は、第１傾斜案内板８１、特定通路部開閉板８３、及び第２傾斜案内板８２によって右向きに案内され、その全てが一般通路部７５を通過する。
【００５３】
大当たり状態が終了して開閉扉３２が閉じると、裏側装飾面６６に代わって再び表側装飾面６２が遊技者の視界に入る。
【００５４】
以上説明したように、本実施形態では、開閉扉３２の裏面６４側に、装飾６７ａを施した裏側装飾面６６を形成しているため、大当たりが発生して開閉扉３２が開状態となったときには必然的に遊技者の視界にその裏側装飾面６６が入ることになり、開閉扉３２が開状態となる利益状態発生時の視覚的演出効果を更に向上させて遊技に対する興趣を増大できる利点がある。
【００５５】
また、裏側装飾面６６には表側装飾面６２とは異なる装飾が施されているため、開閉扉３２が開状態のときと閉状態のときとで遊技者の視界に入る装飾を異ならせることができ、演出に変化を持たせてより一層視覚的演出効果を向上させることができる。
【００５６】
裏側装飾面６６は、開閉扉３２の裏面６４側に装飾６７ａを施した装飾シート６７を貼着することにより構成されているため、例えば異なる装飾を施した装飾シート６７を用意するだけで、１種類の遊技部品（大入賞手段２５）を異なる機種で使用することができ、また装飾シート６７の貼り替えにより他機種への機種変更も容易である。
【００５７】
開閉扉３２の裏面６４側に、遊技球を所定方向に誘導する誘導部６５が形成され、この誘導部６５は装飾シート６７を所定の付設位置に位置決めするための位置決め部としての案内面６５ａを備えているため、装飾シート６７を案内面６５ａに沿わせつつ貼着面６４ａに貼着すれば、その貼着位置が扉本体５１の上下方向に大きくずれることがなく便利である。
【００５８】
図８は本発明の第２の実施形態を例示し、裏側装飾面６６を構成する装飾シート６７の表面にビトロ加工を施した例を示している。なお、ビトロ加工とは、ポリウレタン樹脂を表面張力を利用して膨出状に盛り上げる加工方法のことである。
【００５９】
装飾シート６７は、図８に示すように、その表面側にイラスト等の装飾６７ａが施されており、ビトロ加工によりその装飾６７ａを覆うように透明なポリウレタン樹脂８７がコーティングされている。ポリウレタン樹脂８７としては、比較的軟質で弾性の大きな特性のものを用いることが望ましい。また、ポリウレタン樹脂８７の厚さは、貼着面６４ａと誘導部６５との段差よりも小さくなるようにすることが望ましい。
【００６０】
このように、裏側装飾面６６にビトロ加工を施した装飾シート６７を用いることにより、ポリウレタン樹脂８７がクッション材として機能し、遊技球の衝突による衝撃を吸収して開閉扉３２の摩耗、損傷等を防止できる利点がある。
【００６１】
図９は本発明の第３の実施形態を例示し、ビトロ加工等により厚肉状に構成した装飾シート６７を用い、その装飾シート６７により形成した誘導部により遊技球を所定方向に誘導するようにした例を示している。
【００６２】
図９に示すように、本実施形態の裏側装飾面６６を構成する装飾シート６７は、複数、例えば１つの中央装飾シート９１と２つの側部装飾シート９２との計３つの独立部分よりなっている。
【００６３】
中央装飾シート９１及び側部装飾シート９２は、第２の実施形態と同様のビトロ加工が施され、その厚さは中央装飾シート９１よりも側部装飾シート９２の方が肉厚に形成されている。
【００６４】
また、中央装飾シート９１は、扉本体５１の上部側から下部側（枢軸４７側）に向けて左右方向幅が徐々に狭くなる略台形状に形成され、略矩形状の貼着面６４ａの左右方向中央に貼着されている。また、側部装飾シート９２は共に略三角形に形成されており、貼着面６４ａ上における中央装飾シート９１の左右の隙間部分を埋めるように貼着されている。
【００６５】
これにより、中央装飾シート９１と側部装飾シート９２との隣接部分に誘導部９３が形成されるため、開閉扉３２が開状態となったとき、上方から落下して裏面６４側で受け止められた遊技球は、後方の入賞口４５側に案内される際に誘導部９３によって左右方向中央側に誘導される。
【００６６】
本実施形態では、装飾シート６７のみで形成した誘導部９３により遊技球を所定方向に誘導するように構成しているため、開閉扉３２の裏面６４側の略全面を装飾シート６７で保護することができ、開閉扉３２全体の摩耗、損傷等を効果的に防止できる。
【００６７】
なお、本実施形態では複数の装飾シートにより誘導部９３を形成したが、１つの装飾シート６７の厚さを部分的に異ならせることにより誘導部９３を形成してもよい。また、耐摩耗性は低下するが、上記の例で中央装飾シート９１の貼着を省略するなど、開閉扉３２の裏面６４の一部分にのみ厚肉状の装飾シート６７を貼着し、装飾シート６７の貼着部分と非貼着部分とで誘導部９３を形成するようにしてもよい。
【００６８】
図１０は本発明の第４の実施形態を例示し、大入賞手段２５の内部にランプ等の照明手段８８を設けた例を示している。
【００６９】
図１０に示すように、入賞室４５ａの左右両側の後部側壁７２は、例えば無色透明若しくは着色透明に形成されており、その外側には夫々ランプ等よりなる照明手段８８が配置されている。この照明手段８８は、開閉扉３２の開閉に同期するように点灯制御され、開閉扉３２が開状態で点灯、閉状態で消灯するようになっている。
【００７０】
これにより、開閉扉３２が開放したとき、裏側装飾面６６が照明手段８８により照明されるため、裏側装飾面６６が室内照明等の陰になるような場合であっても裏側装飾面６６を明瞭に浮かび上がらせることができ、遊技者による視認性が向上して演出効果の更なる向上が期待できる。
【００７１】
なお、照明手段８８は、入賞室４５ａの上方、後方、下方等、任意の位置に配置できる。また、複数の照明手段８８の発光色を夫々異ならせ、発光させる照明手段８８を切り替えたり、或いは１つの照明手段８８を多色発光可能に構成してもよい。
【００７２】
以上、本発明の各実施形態について詳述したが、本発明はこれら各実施形態に限定されるものではなく、本発明の趣旨を逸脱しない範囲内で種々の変更が可能である。例えば、表側装飾面６２、裏側装飾面６６は、貼着面６１ａ，６４ａに貼着した装飾シート６３，６７より構成するものに限られるものではなく、開閉扉３２の表て面６１、裏面６４に凹凸加工、印刷等の方法により直接装飾を施したもの、装飾を施した装飾部材（例えばプレート）をネジ止め、溶着等により開閉扉３２の表て面６１、裏面６４に付設したもの等でもよい。
【００７３】
装飾シート６７は、ビトロ加工以外の方法によりクッション性を持たせてもよい。例えば、ゴム、スポンジ、発泡性樹脂等の弾性材料を用いて装飾シート６７を形成してもよい。
【００７４】
誘導部６５，９３は、遊技球を左右方向中央に誘導するものに限られるものではなく、左右方向の一方側に誘導するものなど、所定方向に誘導するものであればよい。また、誘導部６５は省略してもよい。
【００７５】
表側装飾面６２、裏側装飾面６６の装飾内容は任意であり、キャラクター、文言、模様、又はそれらの組み合わせ等、どのようなものであってもよい。表側装飾面６２と裏側装飾面６６との装飾内容は同一であってもよい。
【００７６】
大入賞手段２５の内部の構成は任意であり、例えば特定通路部開閉板８３を備えない構成としてもよいし、特定通路部７４を中央に、一般通路部７５をその左右に配置した構成でもよい。
【００７７】
装飾シート６７等の装飾部材は、開閉扉３２側の形状等に応じて任意の形状とすればよい。例えば、開閉扉３２の裏面６４側に遊技球を停留させる停留部を備えている場合には、装飾シート６７側にその停留部等に対応する切り込み部分を設ければよい。
【００７８】
更に、実施形態では第１種パチンコ機を例に挙げて説明したが、第２種パチンコ機、第３種パチンコ機、アレンジボール機、雀球遊技機等のその他の弾球遊技機であっても、上記大入賞手段と同様の構成を有する入賞装置を備えたもの等であれば同様に実施可能であることは言うまでもない。
【００７９】
【発明の効果】
本発明によれば、遊技盤１３又はその遊技盤１３に装着された遊技部品２５上に設けられ且つ遊技球が入球困難又は入球不可能な閉状態と入球容易な開状態とに切り換え可能な開閉扉３２を備え、該開閉扉３２は、閉状態では遊技盤１３又は遊技部品２５に対して略面一となってその表て面６１側が前側から視認可能であり、開状態では遊技盤１３又は遊技部品２５から所定方向に開放してその裏面６４側が前側から視認可能となるように構成された弾球遊技機において、開閉扉３２の裏面６４側に、所定の装飾６７ａを施した裏側装飾面６６を形成しているため、開閉扉が開状態となる利益状態発生時の視覚的演出効果を更に向上させて遊技に対する興趣を増大できる利点がある。
【図面の簡単な説明】
【図１】本発明の第１の実施形態を示すパチンコ機の正面図である。
【図２】本発明の第１の実施形態を示すパチンコ機の遊技盤の正面図である。
【図３】本発明の第１の実施形態を示すパチンコ機の大入賞手段の縦断面図である。
【図４】本発明の第１の実施形態を示すパチンコ機の開閉扉閉状態での大入賞手段の正面図である。
【図５】本発明の第１の実施形態を示すパチンコ機の開閉扉開状態での平面断面図である。
【図６】本発明の第１の実施形態を示すパチンコ機の大入賞手段の部分断面斜視図である。
【図７】本発明の第１の実施形態を示すパチンコ機の開閉扉の断面図である。
【図８】本発明の第２の実施形態を示すパチンコ機の開閉扉の断面図である。
【図９】本発明の第３の実施形態を示すパチンコ機の開閉扉の平面図及び断面図である。
【図１０】本発明の第４の実施形態を示すパチンコ機の開閉扉開状態での平面断面図である。
【符号の説明】
１３　　遊技盤
２５　　大入賞手段（遊技部品）
３２　　開閉扉
６１　　表て面
６２　　表側装飾面
６４　　裏面
６５　　誘導部
６５ａ　案内面（位置決め部）
６６　　裏側装飾面
６７　　装飾シート（装飾部材、貼着シート）
６７ａ　装飾
６７ｂ　貼着部
【図１】
2004065377.tif 000003
【図２】
2004065377.tif 000004
【図３】
2004065377.tif 000005
【図４】
2004065377.tif 000006
【図５】
2004065377.tif 000007
【図６】
2004065377.tif 000008
【図７】
2004065377.tif 000009
【図８】
2004065377.tif 000010
【図９】
2004065377.tif 000011
【図１０】
2004065377.tif 000012